(57)【要約】【課題】  アドレス帳サーバ４００に格納されているデータ（社員の名前、所属部署、連絡先電話番号など）の一部分、または全てをプレゼンス情報対応アドレス帳サーバ３００に重複登録する手間を省くこと。【解決手段】  通信設定情報保持部３２１は、アドレス帳サーバ４００へのアクセス情報を予め格納し、通信インタフェース３２０は、表示端末装置１００による機器のアドレスデータ取得要求を受入れると上記アクセス情報に基づいて上記アドレス帳サーバ４００へアクセスして機器のアドレス情報を取得し、データ検索加工部３３０は、通信インタフェース３２０が取得した上記該当する機器のアドレス情報に基づいて該当するプレゼンス情報をデータ管理部から取得して上記該当する機器のアドレス情報に付加し、上記表示端末装置１００へ出力する。【選択図】  図１
2008085805.tif 000002
【特許請求の範囲】
【請求項１】
ネットワークに接続する機器のアドレス情報を管理するアドレス情報提供サーバと、前記ネットワークに接続する機器のアドレス情報及び現時点における機能状態情報を管理するプレゼンス情報提供サーバと、前記ネットワークに接続する機器のアドレスデータを取得要求する表示端末装置とを含むアドレスデータ提供システムであって、
前記プレゼンス情報提供サーバは、
前記アドレス情報提供サーバへのアクセス情報を予め格納するアクセス情報保持部と、
前記表示端末装置による前記機器のアドレスデータ取得要求を受入れると前記アクセス情報に基づいて前記アドレス情報提供サーバへアクセスし、該当する機器のアドレス情報を取得するアドレス情報取得部と、
該アドレス情報取得部が取得した前記該当する機器のアドレス情報に基づいて、該当する機能状態情報を取得し、前記該当する機器のアドレス情報に付加し、前記表示端末装置へ出力するデータ検索加工部とを備えることを特徴とするアドレスデータ提供システム。
【請求項２】
前記機器の現時点における機能状態情報を管理するプレゼンス情報提供サーバは、少なくとも、ユーザ名、電話番号および電子メールアドレスのいずれかを含む検索キー情報に基づいて前記ネットワークに接続する機器のアドレスデータを取得要求することを特徴とする請求項１に記載のアドレスデータ提供システム。
【請求項３】
前記アクセス情報は、前記機器に付与されたＩＰアドレス及び前記ネットワークに通信接続するプロトコルを含むことを特徴とする請求項１に記載のアドレスデータ提供システム。
【請求項４】
前記プレゼンス情報提供サーバは、
前記機器の現時点における機能状態の変更を検出すると前記機能状態情報の更新を行う機能状態情報更新手段を更に備え、
該機能状態情報更新手段が前記機能状態情報の更新を行うと、該更新情報を前記表示端末装置へ送信することを特徴とする請求項１に記載のアドレスデータ提供システム。
【請求項５】
前記プレゼンス情報提供サーバは、
前記機器の現時点における機能状態の変更を検出すると前記機能状態情報の更新を行う機能状態情報更新手段を更に備え、
該機能状態情報更新手段が前記機能状態情報の更新を行うと、該更新情報を前記表示端末装置及び予め設定されている特定機器へ送信することを特徴とする請求項１に記載のアドレスデータ提供システム。
【請求項６】
前記プレゼンス情報提供サーバは、前記特定機器の設定を受入れる更新通知要求受入れ部を更に備えることを特徴とする請求項５に記載のアドレスデータ提供システム。
【発明の詳細な説明】
【技術分野】
【０００１】
本発明は、アドレスデータ提供システムに関し、特に、別々に導入された、既存のアドレス帳サーバが有するアドレス帳データと、プレゼンス情報対応アドレス帳サーバの有するアドレス帳データとを並行利用できるシステムに関するものである。
【背景技術】
【０００２】
近年の企業内ネットワークでは、既に敷設されているアドレス帳データのみを有する旧アドレス帳サーバと、その後に導入されたプレゼンス情報対応アドレス帳サーバとが並置される場合がある。旧アドレス帳サーバは、ユーザ名に応じた電話番号などを示すアドレス情報を保持し、ユーザが通信したい相手方のアドレス情報をユーザに提供している。一方、プレゼンス情報対応アドレスサーバは、アドレス情報の他に、相手方の通信端末装置の現時点における機能状態情報を示すプレゼンス情報を保持し、アドレス情報とプレゼンス情報とを組み合わせてユーザに提供している。
【特許文献１】特開２００６−９４３７９号公報
【発明の開示】
【発明が解決しようとする課題】
【０００３】
しかしながら、上記従来のシステムでは、旧アドレス帳データにアクセス可能な端末装置は、プレゼンス情報対応アドレス帳へのアクセスが不可能であった。一方プレゼンス情報対応アドレス帳にアクセス可能な端末装置は、旧アドレス帳データにはアクセスすることが不可能であった。その結果、旧アドレス帳データとプレゼンス情報対応アドレス帳とを併用して運用する場合には、旧アドレス帳データ（社員の名前、所属部署、連絡先電話番号など）の一部分、または全てをプレゼンス情報対応アドレス帳にも重複登録する手間が必要になるという解決すべき課題が残されていた。
【課題を解決するための手段】
【０００４】
本発明は、ネットワークに接続する機器のアドレス情報を管理するアドレス情報提供サーバと、上記ネットワークに接続する機器のアドレス情報及び該機器の現時点における機能状態情報を管理するプレゼンス情報提供サーバと、上記ネットワークに接続する機器のアドレスデータを取得要求する表示端末装置とを含むアドレスデータ提供システムであって、上記プレゼンス情報提供サーバは、上記アドレス情報提供サーバへのアクセス情報を予め格納するアクセス情報保持部と、上記表示端末装置による前記機器のアドレスデータ取得要求を受入れると上記アクセス情報に基づいて上記アドレス情報提供サーバへアクセスし、機器のアドレス情報を取得するアドレス情報取得部と、該アドレス情報取得部が取得した上記該当する機器のアドレス情報に基づいて該当する機能状態情報を取得し上記該当する機器のアドレス情報に付加し、上記通信端末装置へ出力するデータ検索加工部とを備えることを主要な特徴とする。
【発明の効果】
【０００５】
本発明によるアドレスデータ提供システムでは、プレゼンス情報提供サーバが、アクセス情報保持部と、アドレス情報取得部と、データ検索加工部とを備えるので、アドレス情報提供サーバに格納されているデータ（社員の名前、所属部署、連絡先電話番号など）の一部分、または全てをプレゼンス情報対応サーバにも重複登録する必要が無くなるので、その手間が省けるという効果を得る。
【発明を実施するための最良の形態】
【０００６】
本発明の実施形態について、図を用いて詳細に説明する。
【実施例】
【０００７】
図１は、アドレス帳データ提供システムの構成図である。
図に示すように、本発明のアドレス帳データ提供システム１０は、表示端末装置１００と、保守端末装置２００と、プレゼンス情報対応アドレス帳サーバ３００と、アドレス帳サーバ４００と、アドレス帳サーバ５００とを含む。ここでは、アドレス帳サーバを２台に限定したが、これは１例であって１台、または３台以上であっても良い。
【０００８】
図に於いて、プレゼンス情報対応アドレス帳サーバ３００は、表示端末装置１００とＨｔｔｐ（Ｈｙｐｅｒｔｅｘｔ  Ｔｒａｎｓｆｅｒ  Ｐｒｏｔｏｃｏｌ）に基づいて通信可能に接続されている。又、プレゼンス情報対応アドレス帳サーバ３００は、２つのアドレス帳サーバ４００および５００と予め登録されているプロトコルで通信を行うべく接続されている。又、プレゼンス情報対応アドレス帳サーバ３００と各アドレス帳サーバ４００および５００とのあいだの通信方法は、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）、ＳＩＰ（Ｓｅｓｓｉｏｎ  Ｉｎｉｔｉａｔｉｏｎ  Ｐｒｏｔｏｃｏｌ）およびＳＯＡＰ（Ｓｉｍｐｌｅ  Ｏｂｊｅｃｔ  Ａｃｃｅｓｓ  Ｐｒｏｔｏｃｏｌ）などが使用されることが好ましい。以下に図に示す構成部分の詳細について説明する。
【０００９】
表示端末装置１００は、ユーザ名に対応した電話番号などを示すアドレス帳データの取得を要求する要求信号を出力し、取得したアドレス帳データに基づいて所定の事項を表示する端末装置である。その内部には、各種の要求事項を入力する操作部（図示せず）と、アドレス帳データなどを表示する表示部（図示せず）とを備えている。ユーザが操作部に対してアドレス帳データの取得を要求すると、該要求に基づいた要求信号がプレゼンス情報対応アドレス帳サーバ３００に出力される。又、プレゼンス情報対応アドレス帳サーバ３００から上記要求信号に対応するアドレス帳データが取得されると、その内容が表示部に表示される。
【００１０】
ここで、要求信号は、要求元装置に付与されたＩＰアドレスと、アドレス帳データを検索するときの検索キー情報とを含む。検索キー情報は、例えば、ユーザ名、電話番号および電子メールアドレスなどの中から選択される。
【００１１】
保守端末装置２００は、各アドレス帳サーバにアクセスするための登録通信設定情報（例えば各アドレス帳サーバのＩＰアドレスおよびプロトコル等）を通信設定情報保持部３２１へ設定入力する端末装置である。この端末装置は、登録通信設定情報を通信設定情報保持部３２１へ設定入力するときに通信インタフェース３２０に接続される。この保守端末装置２００は、各アドレス帳サーバに付与されたＩＰアドレスおよび該当する通信方法を示すプロトコルを入力するための設定情報入力部（図示せず）を備えている。ユーザが該ＩＰアドレスおよび該当する通信方法を示すプロトコルを入力すると、入力されたＩＰアドレスおよびプロトコルは登録通信設定情報としてプレゼンス情報対応アドレス帳サーバ３００に送信される。
【００１２】
プレゼンス情報対応アドレス帳サーバ３００は、通信端末装置（図示せず）の状態を示すプレゼンス情報とアドレス帳データとを組み合わせ、統合アドレス帳データを生成し、表示端末装置１００へ送信するサーバである。このプレゼンス情報対応アドレス帳サーバ３００は、データ管理部３１０と、プレゼンス情報サーバ３５０と、データ検索加工部３３０と、データ入出力部３４０と、通信インタフェース３２０とを備える。
【００１３】
データ管理部３１０は、通信端末装置（図示せず）の識別情報と該通信端末装置の現時点における機能状態を示すプレゼンス情報とを対応付けて保持する部分である。識別情報およびプレゼンス情報は、プレゼンス情報サーバ３５０からの通知により更新される。ここで、アドレス帳データとプレゼンス情報について説明する。
【００１４】
図２は、アドレス帳データの構成図である。
図に示すように、アドレス帳データは、メールアドレス、ユーザ名、部署名、電話番号１、電話番号２、・・・、・・・などで構成される。
図３は、プレゼンス情報の構成図である。
図に示すように、プレゼンス情報は、ネットワークに接続する機器としての通信端末装置が通話中であるか否か、通信端末装置の電源がＯＮしているか否か、および通信端末装置が無線圏内にあるか否か、などの通信端末装置の状態を該通信端末装置の識別番号に対応付けて示している。
【００１５】
図１に戻って、
プレゼンス情報サーバ３５０は、通信端末装置のプレゼンス情報を収集する部分である。このプレゼンス情報サーバ３５０は、通信端末装置の現時点における機能状態を示すプレゼンス情報を収集する機能を有しており、通信端末装置の状態変化を監視するプレゼンスイベントパッケージを実装したＳＩＰサーバで実現される。又、プレゼンス情報サーバ３５０は、通信端末装置の状態変化を検出すると、該当する通信端末装置の識別情報とプレゼンス情報とをデータ管理部３１０に更新すべく通知するサーバでもある。
【００１６】
通信インタフェース３２０は、その内部に通信設定情報保持部３２１を有し、ここでは２つ（1例）のアドレス帳サーバを登録順に選択し、選択したアドレス帳サーバと通信を行うべく通信制御を行う部分である。通信設定情報保持部３２１は、各アドレス帳サーバにアクセスするためのＩＰアドレスおよび通信方法を示すプロトコルをリスト形式の登録通信設定情報として保持する部分である。この通信インタフェース３２０は、データ検索加工部３３０から検索キー情報（上記要求信号）を受けると、通信設定情報保持部３２１に登録されている２つのアドレス帳サーバを登録順に選択し、選択したアドレス帳サーバと該当するプロトコルに準拠して通信を行う。更に、上記検索キー情報を選択したアドレス帳サーバに送信する。
【００１７】
ここで登録通信設定情報について説明する。
図４は、登録通信設定情報の構成図である。
図に示すように、登録通信設定情報は、各アドレス帳サーバに付与されたＩＰアドレスおよび通信方法を示すプロトコルをリスト形式で示している。
【００１８】
図１に戻って、上記通信インタフェース３２０は、保守端末装置２００から登録するためのＩＰアドレスおよび通信方法を示すプロトコルを受けると、通信設定情報保持部３２１に保持させる部分でもある。さらに、保守端末装置２００から更新を目的とする新ＩＰアドレスおよび新プロトコルを受けると、リスト形式で通信設定情報保持部３２１に更新登録する部分でもある。
【００１９】
データ検索加工部３３０は、アドレス帳データとプレゼンス情報を組み合わせて統合アドレス帳データを作成する部分である。このデータ検索加工部３３０は、データ入出力部３４０から要求信号を受けると、該要求信号に検索キー情報が含まれているか否かを判断する部分でもある。即ち、データ検索加工部３３０は、該要求信号に氏名およびメールアドレスのいずれかが含まれているか否かを判断し、氏名またはメールアドレスが含まれていると、該氏名または該メールアドレスを検索キー情報としてアドレス帳サーバ４００に通知すべく通信インタフェース３２０に出力する部分である。
【００２０】
データ入出力部３４０は、データ検索加工部３３０と、表示端末装置１００とのあいだで表示情報を入出力する部分である。即ち、表示端末装置１００からアドレス帳データ取得のための要求信号を受けると、該要求信号をデータ検索加工部３３０に出力し、データ検索加工部３３０からアドレス帳データ、又は上記統合アドレス帳データを取得すると、これらのデータを表示端末装置１００に出力する部分である。
【００２１】
次に、２つのアドレス帳サーバ４００および５００について説明する。
２つのアドレス帳サーバ４００および５００は、同一構成で同一機能を有するので、以後、アドレス帳サーバ４００について説明し、アドレス帳サーバ５００についての説明は省略する。
【００２２】
アドレス帳サーバ４００は、アドレス帳データ保持部４１０と、アドレス帳データ通信部４２０と、アドレス帳データ検索部４３０とを備える。
【００２３】
アドレス帳データ通信部４２０は、プレゼンス情報対応アドレス帳サーバ３００との通信を予め定められたプロトコルに準拠して行う部分である。又、プレゼンス情報対応アドレス帳サーバ３００から検索キー情報を受信し、該検索キー情報をアドレス帳データ検索部４３０に出力する部分である。更に、アドレス帳データ検索部４３０から検索されたアドレス帳データを受けると、該アドレス帳データをプレゼンス情報対応アドレス帳サーバ３００へ送信する部分でもある。
【００２４】
アドレス帳データ保持部４１０は、ユーザ名と、該ユーザ名に対応付けられた所属部署名や電話番号などを示すアドレス帳データを保持する部分である。アドレス帳データは、図２を用いて説明したように、ユーザ名、ユーザが所属する部署を示す部署名、電話番号および電子メールアドレスなどから構成される。
【００２５】
アドレス帳データ検索部４３０は、プレゼンス情報対応アドレス帳サーバ３００から検索キー情報を受けると、該検索キー情報に基づいてアドレス帳データ保持部４１０を検索する部分である。更に、検出したアドレス帳データを上記プレゼンス情報対応アドレス帳サーバ３００へアドレス帳データ通信部４２０を介して送信する部分である。
【００２６】
次に、各種のシーケンス図を用いて実施例のアドレス帳データ提供システム１０の動作について説明する。
図５は、表示端末装置からデータ取得要求を受けた場合のシーケンス図である。
ユーザが、表示端末装置１００からアドレス帳データ取得のための要求信号をプレゼンス情報対応アドレス帳サーバ３００に送出した場合の動作についてステップＳ１からステップＳ１０までステップ順に説明する。
【００２７】
ステップＳ１
表示端末装置１００は、プレゼンス情報対応アドレス帳サーバ３００のデータ入出力部３４０にアドレス帳データ取得のための要求信号を送信する。例えば、連絡先とプレゼンス情報を調べたい相手の名前やメールアドレス等の検索キー情報を通知する。
【００２８】
ステップＳ２
プレゼンス情報対応アドレス帳サーバ３００のデータ入出力部３４０は、表示端末装置１００から要求信号を受けると、該要求信号をデータ検索加工部３３０に出力する。
【００２９】
ステップＳ３
データ検索加工部３３０は、データ入出力部３４０から要求信号を受けると、該要求信号に氏名およびメールアドレスのいずれかが含まれているか否かを判断する。氏名およびメールアドレスのいずれかが含まれていると、該氏名または該メールアドレスを検索キー情報として通信インタフェース３２０に出力する。２つのアドレス帳サーバ４００および５００から相手の所属部署名や連絡先電話番号（複数）を取得するためである。
【００３０】
ステップＳ４
通信インタフェース３２０は、データ検索加工部３３０から検索キー情報を受けると、２つのアドレス帳サーバ４００および５００のいずれかを登録順に選択し、選択したアドレス帳サーバと登録されたプロトコルに準拠して通信を行う。通信インタフェース３２０は、アドレス帳サーバ４００を選択し通信接続する例について説明する。通信インタフェース３２０は、上記検索キー情報をアドレス帳サーバ４００に送信する。アドレス帳サーバ４００のアドレス帳データ通信部４２０（図１）は、通信インタフェース３２０から検索キー情報を受けると、該検索キー情報をアドレス帳データ検索部４３０（図１）に出力する。
【００３１】
ステップＳ５
アドレス帳データ検索部４３０（図１）は、アドレス帳データ通信部４２０（図１）から検索キー情報を受けると、該検索キー情報に基づいてアドレス帳データ保持部４１０（図１）を検索し、検索したアドレス帳データをプレゼンス情報対応アドレス帳サーバ３００へアドレス帳データ通信部４２０（図１）を介して出力する。
【００３２】
ステップＳ６
プレゼンス情報対応アドレス帳サーバ３００のデータ検索加工部３３０は、アドレス帳サーバ４００からアドレス帳データを受けると、該アドレス帳データが電話番号を含んでいるか否かを判断し、電話番号を含んでいるときは、ステップＳ７へ進み、電話番号を含んでいないときは、プレゼンス状態不明として扱うべくアドレス帳データをデータ入出力部３４０へ送出してステップＳ９へ進む。
【００３３】
ステップＳ７
データ検索加工部３３０は、電話番号を検索キーとしてデータ管理部３１０を検索する。
【００３４】
ステップＳ８
データ検索加工部３３０は、該当する通信端末装置のプレゼンス情報を取得する。ここでデータ検索加工部３３０がプレゼンス情報を取得出来なかったとき、または、プレゼンス情報が該当する電話番号を保持していないときは、プレゼンス情報の検索を終了する。
【００３５】
ステップＳ９
データ検索加工部３３０は、データ管理部３１０を検索し該当する通信端末装置のプレゼンス情報を取得しているときは、該プレゼンス情報と上記アドレス帳データとを組み合わせて統合アドレス帳データを作成し、該統合アドレス帳データをデータ入出力部３４０に出力する。データ検索加工部３３０が、該当する通信端末装置のプレゼンス情報を取得していないときはプレゼンス情報不明としてアドレス帳データをデータ入出力部３４０へ送出する。
【００３６】
ステップＳ１０
データ入出力部３４０は、データ検索加工部３３０から統合アドレス帳データ、又はアドレス帳データを受けると、これらのデータを表示端末装置１００に送信する。表示端末装置１００は、これらのデータを表示してシーケンスを終了する。
【００３７】
図６は、プレゼンス情報サーバからプレゼンス情報更新の通知を受けた場合のシーケンス図である。
次に、プレゼンス情報サーバ３５０が通信端末装置のプレゼンス状態更新を検出した場合に於けるアドレス帳データ提供システム１０の動作についてステップＳ１０１からステップＳ１１０までステップ順に説明する。
【００３８】
ステップＳ１０１
プレゼンス情報サーバ３５０は、通信端末装置の状態更新を検出し、該通信端末装置の電話番号とプレゼンス情報をデータ管理部３１０に通知する。
【００３９】
ステップＳ１０２
データ管理部３１０は、プレゼンス情報サーバ３５０からの通知を受けると、通信端末装置の電話番号とプレゼンス情報を保持し、該電話番号をデータ検索加工部３３０に出力する。
【００４０】
ステップＳ１０３
データ検索加工部３３０は、データ管理部３１０から電話番号を受けると、該電話番号を検索キー情報として２つのアドレス帳サーバ４００および５００に通知すべく通信インタフェース３２０に出力する。
【００４１】
ステップＳ１０４
通信インタフェース３２０は、データ検索加工部３３０から検索キー情報を受けると、２つのアドレス帳サーバ４００および５００のいずれかを登録順に選択し、選択したアドレス帳サーバと登録されたプロトコルに準拠して通信を行う。通信インタフェース３２０は、アドレス帳サーバ４００を選択し通信接続する例について説明する。通信インタフェース３２０は、上記検索キー情報をアドレス帳サーバ４００に送信する。アドレス帳サーバ４００のアドレス帳データ通信部４２０（図１）は、通信インタフェース３２０から検索キー情報を受けると、該検索キー情報をアドレス帳データ検索部４３０（図１）に出力する。
【００４２】
ステップＳ１０５
アドレス帳データ検索部４３０（図１）は、アドレス帳データ通信部４２０（図１）から検索キー情報として電話番号を受けると、該電話番号を検索キーとしてアドレス帳データ保持部４１０（図１）を検索し、検索したアドレス帳データをプレゼンス情報対応アドレス帳サーバ３００へアドレス帳データ通信部４２０を介して出力する。
【００４３】
ステップＳ１０６
プレゼンス情報対応アドレス帳サーバ３００のデータ検索加工部３３０は、アドレス帳サーバ４００からアドレス帳データを受けると、該アドレス帳データが電話番号を含んでいるか否かを判断し、電話番号を含んでいるときは、ステップＳ１０７へ進み、電話番号を含んでいないときは、プレゼンス状態不明として扱うべくアドレス帳データをデータ入出力部３４０へ送出してステップＳ１０９へ進む。
【００４４】
ステップＳ１０７
データ検索加工部３３０は、電話番号を検索キーとしてデータ管理部３１０を検索する。
【００４５】
ステップＳ１０８
データ検索加工部３３０は、該当する通信端末装置のプレゼンス情報を取得する。ここでデータ検索加工部３３０がプレゼンス情報を取得出来なかったとき、または、プレゼンス情報が該当する電話番号を保持していないときは、プレゼンス情報の検索を終了する。
【００４６】
ステップＳ１０９
データ検索加工部３３０は、データ管理部３１０を検索し該当する通信端末装置のプレゼンス情報を取得しているときは、該プレゼンス情報と上記アドレス帳データとを組み合わせて統合アドレス帳データを作成し、該統合アドレス帳データをデータ入出力部３４０に出力する。データ検索加工部３３０が、該当する通信端末装置のプレゼンス情報を取得していないときはプレゼンス情報不明としてアドレス帳データをデータ入出力部３４０へ送出する。
【００４７】
ステップＳ１１０
データ入出力部３４０は、データ検索加工部３３０から統合アドレス帳データ、又はアドレス帳データを受けると、これらのデータを表示端末装置１００に送信する。表示端末装置１００は、これらのデータを表示してシーケンスを終了する。
【００４８】
図７は、表示端末装置から更新通知を要求するシーケンス図である。
ユーザが特定の相手先（通信端末装置）にもプレゼンス状態の更新通知を行って欲しいときにプレゼンス情報対応アドレス帳サーバ３００へ通知する動作についてステップＳ１１１、及びステップＳ１１２で説明する。
【００４９】
ステップＳ１１１
ユーザは、表示端末装置１００を用いて、プレゼンス状態の更新通知を行って欲しい特定の相手先（通信端末装置）のアドレス情報（ＩＰアドレスとポート番号）を更新通知要求信号として、プレゼンス情報対応アドレス帳サーバ３００のデータ入出力部３４０へ通知する。
【００５０】
ステップＳ１１２
データ入出力部３４０は、受入れた更新通知要求信号に基づいてデータ管理部３１０へ登録しシーケンスを終了する。
【００５１】
以上説明したように、本発明によれば、既存のアドレス帳システムとプレゼンス情報対応アドレス帳システムを併用して運用する場合に於いて、既存のアドレス帳システムのデータ（社員の名前、所属部署、連絡先電話番号など）の一部分、または全てをプレゼンス情報対応アドレス帳システムにも重複登録する手間や、人事異動などにより所属部署、連絡先電話番号などが変更された際に既存のアドレス帳システムのデータ変更にあわせてプレゼンス情報対応アドレス帳システムのデータ変更を行う手間を削減出来るという効果を得る。
【産業上の利用可能性】
【００５２】
尚、実施例では説明の都合上ネットワークに接続する通信機器を電話機に限定して説明したが、これは一例であって、本システムはこの例に限定されるものでは無い。即ち、通信機器はプリンタ装置等であっても本システムは実現可能である。
【図面の簡単な説明】
【００５３】
【図１】アドレス帳データ提供システムの構成図である。
【図２】アドレス帳データの構成図である。
【図３】プレゼンス情報の構成図である。
【図４】登録通信設定情報の構成図である。
【図５】表示端末装置からデータ取得要求を受けた場合のシーケンス図である。
【図６】プレゼンス情報サーバからプレゼンス情報更新の通知を受けた場合のシーケンス図である。
【図７】表示端末装置から更新通知を要求するシーケンス図である。
【符号の説明】
【００５４】
１０      アドレス帳データ提供システム
１００    表示端末装置
２００    保守端末装置
３００    プレゼンス情報対応アドレス帳サーバ
３１０    データ管理部
３２０    通信インタフェース
３２１    通信設定情報保持部
３３０    データ検索加工部
３４０    データ入出力部
３５０    プレゼンス情報サーバ
４００    アドレス帳サーバ
４１０    アドレス帳データ保持部
４２０    アドレス帳データ通信部
４３０    アドレス帳データ検索部
５００    アドレス帳サーバ
【図１】
2008085805.tif 000003
【図２】
2008085805.tif 000004
【図３】
2008085805.tif 000005
【図４】
2008085805.tif 000006
【図５】
2008085805.tif 000007
【図６】
2008085805.tif 000008
【図７】
2008085805.tif 000009